(57)【特許請求の範囲】
【請求項１】
外部との通信を行い通信データを出力する外部通信入力手段と、前記通信データを演算しデータ信号として出力するデータ演算部と、前記データ演算部から出力された前記データ信号を複数個で保持する複数データ保持部と、前記複数データ保持部の複数保持データをそれぞれ比較し一致しない場合にデータ変換信号及び比較異常信号を出力する保持データ異常判定部と、前記保持データ異常判定部から出力された前記データ変換信号を受け取り変換データを出力するデータ変換部と、前記保持データ異常判定部から出力された前記比較異常信号を受け取り保持データ異常信号を出力する保持データ異常状態通信要求部と、前記保持データ異常信号を受け取り外部に出力する外部通信出力手段と、通過ガス流量に対応した流量信号を出力する流量測定手段と、前記流量信号と前記複数保持データから実流量を計算し警報信号及び検針信号を出力する流量演算部と、前記流量演算部より出力された前記警報信号に基づき警告報知する警報手段と、前記流量演算部より出力された前記検針信号を受け取り検針値として保持する検針値保持部と、前記保持データ異常判定部において出力された比較異常信号を受け取り前記検針値保持部に検針停止信号を出力する検針値停止部とを備えたガス遮断装置。
【請求項２】
外部との通信を行い通信データを出力する外部通信入力手段と、前記通信データを演算しデータ信号として出力するデータ演算部と、前記データ演算部から出力された前記データ信号を複数個で保持する複数データ保持部と、前記複数データ保持部の複数保持データをそれぞれ比較し一致しない場合にデータ変換信号及び比較異常信号を出力する保持データ異常判定部と、前記保持データ異常判定部から出力された前記データ変換信号を受け取り変換データを出力するデータ変換部と、前記保持データ異常判定部から出力された前記比較異常信号を受け取り外部通信出力手段が機能するかどうか判断して機能すれば保持データ異常信号を出力し機能しなければ遮断信号を出力する保持データ異常状態通信要求部と、前記保持データ異常信号を受け取り外部に出力する外部通信出力手段と、通過ガス流量に対応した流量信号を出力する流量測定手段と、前記流量信号と前記複数保持データから実流量を計算し警報信号及び検針信号を出力する流量演算部と、前記流量演算部より出力された前記警報信号に基づき警報報知する警報手段と、前記流量演算部より出力された前記検針信号を受け取り検針値として保持する検針値保持部と、前記保持データ異常判定部において出力された比較異常信号を受け取り検針値保持部に検針停止信号を出力する検針値停止部と、通信の失敗あるいは設備の不十分な箇所にあり通信不能の前記保持データ異常状態通信要求部において出力された前記遮断信号を受け取り、ガス通路を閉止する遮断手段とを備えたガス遮断装置。
【発明の詳細な説明】
【０００１】
【産業上の利用分野】
本発明は、例えばガスメータにおけるガスの安全性を図るガス遮断装置に関するものである。
【０００２】
【従来の技術】
従来、この種のガス遮断装置は、図７に示すように外部との通信を行い通信データＧを出力する外部通信手段４１、通信データＧを演算しデータ信号Ｓとして出力するデータ演算部４２、データ演算部４２から出力されたデータ信号Ｓを保持し保持データＤ１として保持する複数データ１保持部４３、データ信号Ｓを保持し保持データＤ２として保持する複数データ２保持部４４、複数データ１保持部４３の保持データＤ１と複数データ２保持部４４の保持データＤ２とをそれぞれ比較判定し、一致しない場合にデータ変換信号Ｔを出力する保持データ異常判定部４５と、保持データ異常判定部４５から出力されたデータ変換信号Ｔを受け取り変換データＣを出力するデータ変換部４６と、通過ガス流量に対応した流量信号Ｒを出力する流量測定手段４７と、流量信号Ｒと複数保持データＤから実流量を計算し、警報信号Ｖ及び検針信号Ｋを出力する流量演算部４８と、流量演算部４８より出力された警報信号Ｖに基づき警告報知する警報手段４９と、流量演算部４８より出力された検針信号Ｋを受け取り検針値として保持する検針値保持部４０からなっている。
【０００３】
【発明が解決しようとする課題】
しかしながら、このようなガス遮断装置は、保持データの異常状態を外部に警報報知するだけであった。
【０００４】
つまり、警報報知するだけでは保持データの異常状態の判別がつきにくく発見がリアルタイムで検出されることが少ないという不具合点がある。また、使用しているガス流量に対してガス遮断装置の安全性が低下すると共に検針値の信頼性が著しく低下するという不具合点がある。
【０００５】
本発明のガス遮断装置は、保持データの異常発見における利便性の向上を図ることを目的とする。
【０００６】
【課題を解決するための手段】
上記目的を達成するために本発明のガス遮断装置は、外部との通信を行い通信データを出力する外部通信入力手段と、前記通信データを演算しデータ信号として出力するデータ演算部と、前記データ演算部から出力された前記データ信号を複数個で保持する複数データ保持部と、前記複数データ保持部の複数保持データをそれぞれ比較し一致しない場合にデータ変換信号及び比較異常信号を出力する保持データ異常判定部と、前記保持データ異常判定部から出力された前記データ変換信号を受け取り変換データを出力するデータ変換部と、前記保持データ異常判定部から出力された前記比較異常信号を受け取り保持データ異常信号を出力する保持データ異常状態通信要求部と、前記保持データ異常信号を受け取り外部と通信する外部通信出力手段と、通過ガス流量に対応した流量信号を出力する流量測定手段と、前記流量信号と前記複数保持データから実流量を計算し警報信号及び検針信号を出力する流量演算部と、前記流量演算部より出力された前記警報信号に基づき警告報知する警報手段と、前記流量演算部より出力された前記検針信号を受け取り検針値として保持する検針値保持部と、前記保持データ異常判定部において出力された比較異常信号を受け取り前記検針値保持部に検針停止信号を出力する検針値停止部とを備えたものである。
【０００７】
また、外部との通信を行い通信データを出力する外部通信入力手段と、前記通信データを演算しデータ信号として出力するデータ演算部と、前記データ演算部から出力された前記データ信号を複数個で保持する複数データ保持部と、前記複数データの保持部の複数保持データをそれぞれ比較し一致しない場合にデータ変換信号及び比較異常信号を出力する保持データ異常判定部と、前記保持データ異常判定部から出力された前記データ変換信号を受け取り変換データを出力するデータ変換部と、前記保持データ異常判定部から出力された前記比較異常信号を受け取り外部出力手段が機能するかどうか判断して機能すれば保持データ異常信号を出力し機能しなければ遮断信号を出力する保持データ異常状態通信要求部と、前記保持データ異常信号を受け取り外部と通信する外部通信出力手段と、通過ガス流量に対応した流量信号を出力する流量測定手段と、前記流量信号と前記複数保持データから実流量を計算し警報信号及び検針信号を出力する流量演算部と、前記流量演算部より出力された前記警報信号に基づき警告報知する警報手段と、前記流量演算部より出力された前記検針信号を受け取り検針値として保持する検針値保持部と、前記保持データ異常判定部において出力された比較異常信号を受け取り検針値保持部に検針停止信号を出力する検針値停止部と、通信の失敗あるいは設備の不十分な箇所にあり通信不能の前記保持データ異常状態通信要求部において出力された前記遮断信号を受け取り、ガス通路を閉止する遮断手段とを備えたものである。
【０００８】
【作用】
上記構成により本発明は、保持データが異常状態にあることを外部通信機能により決まった場所にリアルタイムで確実に報知することができる。このことにより保持データの異常のあるガス遮断装置を迅速で且つ正確に発見することができる。
【０００９】
また、検針値を停止することで検針値通報時に保持データの異常状態を予測することができる。
【００１０】
さらに、通信が失敗した場合や通信機能の設備が使えない場所でも遮断手段を用いてガス通路を遮断することにより保持データの異常状態を予測することができる。
【００１１】
こうして、保持データの異常の発見の利便性を向上することで本来の機能を果たさないガス遮断装置の管理が容易にすることができる。また、ガス遮断装置のそれぞれの機能の安全性や信頼性を向上することができる。
【００１２】
【実施例】
以下、本発明の第１の実施例を添付図面に基づいて説明する。図１において外部との通信を行い通信データＧを出力する外部通信入力手段１、通信データＧを演算しデータ信号Ｓとして出力するデータ演算部２、データ演算部２から出力されたデータ信号Ｓを保持データＤ１として保持する複数データ１保持部３、データ演算部２から出力されたデータ信号Ｓを保持データＤ２として保持する複数データ２保持部４、複数データ１保持部３の保持データＤ１と複数データ２保持部の保持データＤ２をそれぞれ比較し、一致しない場合にデータ変換信号Ｔ及び比較異常信号Ｕを出力する保持データ異常判定部５、保持データ異常判定部５から出力されたデータ変換信号Ｔを受け取り変換データＣを出力するデータ変換部６、保持データ異常判定部５から出力された比較異常信号Ｕを受け取り保持データ異常信号Ａを出力する保持データ異常状態通信要求部７、保持データ異常信号Ａを受け取り外部と通信する外部通信出力手段８と、通過ガス流量に対応した流量信号Ｒを出力する流量測定手段９、流量信号Ｒと保持データＤから実流量を計算し、警報信号Ｖ及び検針信号Ｋを出力する流量演算部１０、流量演算部１０より出力された警報信号Ｖに基づき警告報知する警報手段１１、流量演算部１０より出力された検針信号Ｋを受け取り検針値として保持する検針値保持部１２とからなっている。
【００１３】
図２に上記手段のプログラムフローを、処理Ｔ１から処理Ｔ１３に示す。外部通信入力手段１において処理Ｔ１（各ブロック左上の数字）で外部から通信が入力されるのを待ち外部より入力されると処理Ｔ２に移行する。データ演算部２において処理Ｔ２で保持するデータが全て入力されているかを判断し、入力されている場合には処理Ｔ６に移行し、入力されていない場合には処理Ｔ３に移行する。データ演算部２において処理Ｔ３で外部から入力された信号を保持データとして演算し処理Ｔ４に移行する。
【００１４】
複数データ１保持部において処理Ｔ４で処理Ｔ３で得られた保持データを保持データ１として保持し、処理Ｔ５に移行する。複数データ２保持部において処理Ｔ５は処理Ｔ３で得られた保持データを保持データ２として保持し、処理Ｔ６に移行する。保持データ異常判定部５において処理Ｔ６は処理Ｔ４で保持している保持データ１と処理Ｔ５で保持している保持データ２を比較し、等しければ処理Ｔ９に移行し、等しくなければ処理Ｔ７に移行する。データ変換部６において処理Ｔ７は保持データをあらかじめ持っている最低限の機能を果たすデータに変換し、処理Ｔ８に移行する。
【００１５】
保持データ異常状態通信要求部７において処理Ｔ８は異常状態を報知するための信号を外部通信出力手段８に出力することにより外部に発呼し、処理Ｔ９に移行する。流量測定手段において処理Ｔ９は流量信号を検知し、処理Ｔ１０に移行する。流量演算部１０において処理Ｔ１０は処理Ｔ９で得られた流量信号と処理Ｔ４あるいは処理Ｔ５で保持した保持データから実流量を演算し処理Ｔ１１に移行する。
【００１６】
処理Ｔ５で実流量が処理Ｔ４あるいは処理Ｔ５で保持した保持データと等しいかどうかを比較し等しければ処理Ｔ１３に移行し、等しくなければ処理Ｔ１２に移行する。警報手段１１において処理Ｔ１２は流量が異常であることを外部に警報し、処理Ｔ１３に移行する。検針値保持部１２において処理Ｔ１３は処理Ｔ１０において得られた実流量の演算値を検針値として保持して処理を終了する。このことによりセンタにおいて何らかの原因により保持データが異常状態に陥っているガス遮断装置がリアルタイムで発見することができ、センタでのガス遮断装置の管理がしやすくなる。
【００１７】
次に、本発明第２の実施例を図３及び図４に基づいて説明する。
【００１８】
図３において、外部との通信を行い通信データＧを出力する外部通信入力手段１、通信データＧを演算しデータ信号Ｓとして出力するデータ演算部２、データ演算部２から出力されたデータ信号Ｓを保持データＤ１として保持する複数データ１保持部３、データ演算部２から出力されたデータ信号Ｓを保持データＤ２として保持する複数データ２保持部４、複数データ１保持部３の保持データＤ１と複数データ２保持部の保持データＤ２をそれぞれ比較し、一致しない場合にデータ変換信号Ｔ及び比較異常信号Ｕを出力する保持データ異常判定部５、保持データ異常判定部５から出力されたデータ変換信号Ｔを受け取り変換データＣを出力するデータ変換部６、保持データ異常判定部５から出力された比較異常信号Ｕを受け取り保持データ異常信号Ａを出力する保持データ異常状態通信要求部７、保持データ異常信号Ａを受け取り外部と通信する外部出力手段８と、通過ガス流量に対応した流量信号Ｒを出力する流量測定手段９、流量信号Ｒと複数保持データＤから実流量を計算し、警報信号Ｖ及び検針信号Ｋを出力する流量演算部１０、流量演算部１０より出力された警報信号Ｖに基づき警告報知する警報手段１１、流量演算部１０より出力された検針信号Ｋを受け取り検針値として保持する検針値保持部１２、保持データ異常判定部５から出力された比較異常信号Ｕを受け取り検針停止信号Ｏを検針値保持部１２に出力する検針値停止部２１とを備えたものである。
【００１９】
上記構成の動作プログラムのフローを図４に示す。図４において、外部通信入力手段１において処理Ｔ１で外部から通信が入力されるのを待ち外部より入力されると処理Ｔ２に移行する。データ演算部２において処理Ｔ２で保持するデータが全て入力されているかを判断し、入力されている場合には処理Ｔ６に移行し、入力されていない場合には処理Ｔ３に移行する。データ演算部２において処理Ｔ３で外部から入力された信号を保持データとして演算し処理Ｔ４に移行する。
【００２０】
複数データ１保持部において処理Ｔ４で処理Ｔ３で得られた保持データを保持データ１として保持し、処理Ｔ５に移行する。複数データ２保持部において処理Ｔ５は処理Ｔ３で得られた保持データを保持データ２として保持し、処理Ｔ６に移行する。保持データ異常判定部５において処理Ｔ６は処理Ｔ４で保持している保持データ１と処理Ｔ５で保持している保持データ２を比較し、等しければ処理Ｔ１５に移行し、等しくなければ処理Ｔ７に移行する。
【００２１】
データ変換部６において処理Ｔ７は保持データをあらかじめ持っている最低限の機能を果たすデータに変換し、処理Ｔ８に移行する。保持データ異常状態通信要求部７において処理Ｔ８は異常状態を報知するための信号を外部通信出力手段８に出力することにより外部に発呼し、処理Ｔ１４に移行する。検針値停止部２１において処理Ｔ１４は検針値停止信号を出力して処理Ｔ１５に移行する。流量測定手段９において処理Ｔ１５は流量信号を検知し、処理Ｔ１１に移行する。
【００２２】
流量演算部１０において処理Ｔ１６は処理Ｔ１５で得られた流量信号と処理Ｔ４あるいは処理Ｔ５で保持した保持データから実流量を演算し処理Ｔ１７に移行する。処理Ｔ１７で実流量が処理Ｔ４あるいは処理Ｔ５で保持した保持データと等しいかどうかを比較し等しければ処理Ｔ１８に移行し、等しくなければ処理Ｔ１９に移行する。警報手段１１おいて処理Ｔ１８は流量が異常であることを外部に警報し、処理Ｔ１９に移行する。
【００２３】
処理Ｔ１９は検針値停止部２１において検針値停止信号が出力されたかどうかを判断し出力されていれば処置を終了し、出力されていなければ処理Ｔ２０に移行する。検針値保持部１２において処理Ｔ２０は処理Ｔ１６で得られた実流量の演算値を検針値として保持して処理を終了する。このことにより検針値が停止していることで保持データの異常の予測をたてられると共に誤検針の通報が防止できるようになる。
【００２４】
続いて、本発明第３の実施例を図５及び図６に基づいて説明する。図５において、外部との通信を行い通信データＧを出力する外部通信入力手段１、通信データＧを演算しデータ信号Ｓとして出力するデータ演算部２、データ演算部２から出力されたデータ信号Ｓを保持データＤ１として保持する複数データ１保持部３、データ演算部２から出力されたデータ信号Ｓを保持データＤ２として保持する複数データ２保持部４、複数データ１保持部３の保持データＤ１と複数データ２保持部の保持データＤ２をそれぞれ比較し、一致しない場合にデータ変換信号Ｔ及び比較異常信号Ｕを出力する保持データ異常判定部５、保持データ異常判定部５から出力されたデータ変換信号Ｔを受け取り変換データＣを出力するデータ変換部６、保持データ異常判定部５から出力された比較異常信号Ｕを受け取り保持データ異常信号Ａを出力するか遮断信号Ｗを出力するかを判断する保持データ異常状態通信要求部７、保持データ異常信号Ａを受け取り外部と通信する外部通信出力手段８と、通過ガス流量に対応した流量信号Ｒを出力する流量測定手段９、流量信号Ｒと複数保持データＤから実流量を計算し、警報信号Ｖ及び検針信号Ｋを出力する流量演算部１０、流量演算部１０より出力された警報信号Ｖに基づき警告報知する警報手段１１、流量演算部１０より出力された検針信号Ｋを受け取り検針値として保持する検針値保持部１２、保持データ異常判定部５から出力された比較異常信号Ｕを受け取り検針停止信号Ｏを検針値保持部１２に出力する検針値停止部２１、保持データ異常判定部５から出力された比較異常信号Ｕを受け取り外部通信出力手段８が機能しないと判断された場合に出力される遮断信号Ｗを受け取りガス通路を閉止する遮断手段３１とを備えたものである。
【００２５】
上記構成の動作プログラムのフローを図６に示す。図６において、外部通信入力手段１において処理Ｔ１で外部から通信が入力されるのを待ち外部より入力されると処理Ｔ２に移行する。データ演算部２において処理Ｔ２で保持するデータが全て入力されているかを判断し、入力されている場合には処理Ｔ６に移行し、入力されていない場合には処理Ｔ３に移行する。
【００２６】
データ演算部２において処理Ｔ３で外部から入力された信号を保持データとして演算し処理Ｔ４に移行する。複数データ１保持部において処理Ｔ４で処理Ｔ３で得られた保持データを保持データ１として保持し、処理Ｔ５に移行する。複数データ２保持部において処理Ｔ５は処理Ｔ３で得られた保持データを保持データ２として保持し、処理Ｔ６に移行する。保持データ異常判定部５において処理Ｔ６は処理Ｔ４で保持している保持データ１と処理Ｔ５で保持している保持データ２を比較し、等しければ処理Ｔ２４に移行し、等しくなければ処理Ｔ７に移行する。
【００２７】
データ変換部６において処理Ｔ７は保持データをあらかじめ持っている最低限の機能を果たすデータに変換し、処理Ｔ２１に移行する。保持データ異常状態通信要求部７において処理Ｔ２１は外部に異常状態の通信が可能かどうか判定し通信が可能ならば処理Ｔ２２に移行し、通信不能であれば遮断信号を出力して処理Ｔ３０に移行する。処理Ｔ２２は外部通信出力手段８に保持データ異常信号を出力することにより外部に発呼し、処理Ｔ２３に移行する。
【００２８】
検針値停止部２１において処理Ｔ２３は検針値停止信号を出力して処理Ｔ２４に移行する。流量測定手段９に処理Ｔ２４は流量信号を検知し、処理Ｔ２５に移行する。流量演算部１０において処理Ｔ２５は処理Ｔ２４で得られた流量信号と処理Ｔ４あるいは処理Ｔ５で保持した保持データから実流量を演算し処理Ｔ２６に移行する。処理Ｔ２６で実流量が処理Ｔ４あるいは処理Ｔ５で保持した保持データと等しいかどうかを比較し等しければ処理Ｔ２８に移行し、等しくなければ処理Ｔ２７に移行する。警報手段１１において処理Ｔ２７は流量が異常であることを外部に警報し、処理Ｔ２８に移行する。
【００２９】
処理Ｔ２８は検針値停止部２１において検針値停止信号が出力されたかどうかを判断し出力されていれば処理を終了し、出力されていなければ処理Ｔ２９に移行する。検針値保持部１２において処理Ｔ２９は処理Ｔ２５で得られた実流量の演算値を検針値として保持して処理を終了する。遮断手段３１において処理Ｔ３０は処理Ｔ２１で出力された遮断信号を受け取りガス通路を閉止して処理を終了する。このことにより通信が失敗した場合や通信機能で制御できる設備のない場所においてもユーザーからの通報などにより保持データの異常を予測でき、異常状態にあるガス遮断装置の機能の継続を断行することができる。
【００３０】
以上の説明から明らかなように、本発明の実施例におけるガス遮断装置は、保持データはそれぞれ２カ所に保持して置き比較判定して運用することにより、マイコン内のデータが変化した場合直ちに異常状態の発信を外部に行う。このため発信があれば本来のガス遮断装置の機能を果たしていないまま機能を続けていることが遠隔地に置いてもリアルタムで予測でき、遠隔地での管理がしやすくなる。さらに、異常状態に陥った原因が外部からの何らかの要因による異常か内部のマイコンの不具合による異常かという予測が立て易くなる。よって、外部の何らかの要因による異常であればその要因に対する防止策につなげることができ、内部のマイコンによる不具合であれば不良品の発見にもつなげることができる。
【００３１】
また、保持データを２カ所に保持しておき比較判定して運用することにより、マイコン内のデータが変化した場合直ちに検針値を停止する。このような検針値停止部を持つことにより、保持データが異常状態に陥った場合の誤った検針値の保持をなくすことができる。よって、ユーザーに対して不当な料金請求を行うことを防止できるようになる。
【００３２】
さらにまた、保持データをそれぞれ２カ所に保持しておき比較判定して運用することにより、マイコン内のデータが異常状態で且つ通信が失敗した場合や通信設備のない場所においても遮断装置を持つことによりガス通路を遮断することができる。よって、マイコンが異常状態のままガス遮断装置が機能し続けることによる安全性の低下を防止することができるようになる。
【００３３】
【発明の効果】
以上の説明から明らかなように、本発明のガス遮断装置は、保持データはそれぞれ２カ所に保持して置き比較判定して運用することにより、マイコン内のデータが変化した場合直ちに異常状態の発信を外部に行う。このため発信があれば本来のガス遮断装置の機能を果たしていないまま機能を続けていることが遠隔地に置いてもリアルタムで予測でき、遠隔地での管理がしやすくなる。
【図面の簡単な説明】
【図１】本発明の第１の実施例のガス遮断装置を示す機能ブロック図
【図２】同装置の動作プログラムを示すフローチャート
【図３】本発明の第２の実施例のガス遮断装置を示す機能ブロック図
【図４】同装置の動作プログラムを示すフローチャート
【図５】本発明の第３の実施例のガス遮断装置を示す機能ブロック図
【図６】同装置の動作プログラムを示すフローチャート
【図７】従来のガス遮断装置の機能ブロック図
【符号の説明】
１  外部通信入力手段
２  データ演算部
３  複数データ１保持部
４  複数データ２保持部
５  保持データ異常判定部
６  データ変換部
７  保持データ異常状態通信要求部
８  外部通信出力手段
９  流量測定手段
１０  流量演算部
１１  警報手段
１２  検針値保持部
２１  検針値停止部
３１  遮断手段
【図１】
0003620060.tif 000002
【図２】
0003620060.tif 000003
【図３】
0003620060.tif 000004
【図４】
0003620060.tif 000005
【図５】
0003620060.tif 000006
【図６】
0003620060.tif 000007
【図７】
0003620060.tif 000008